(57)【要約】【課題】  表示されるべき画像の準備にかかる負担を軽減することができる三次元画像表示装置を提供すること。【解決手段】  三次元画像表示装置１００は、駆動機構と、駆動機構の駆動により所定の回転軸周りに回転させられ、複数の発光素子が各々に配列された複数の表示部と、複数の表示部の各々の回転角度に応じて発光素子に画像データを供給する制御部と、背景板２６とを備える。複数の表示部は、回転半径方向に各々が異なる位置に配設され、回転に伴って回転方向に幅を有する発光表示可能領域３５を画定する。発光表示可能領域３５には三次元画像が表示される。背景板２６は、発光表示可能領域３５と重なって観察されるように発光表示可能領域３５に囲まれて配設される。【選択図】  図３
0003113661.tif 000002
【実用新案登録請求の範囲】
【請求項１】
駆動機構と、
前記駆動機構の駆動により所定の周回運動をするように前記駆動機構に接続され、前記周回運動の運動方向に垂直な方向において各々が異なる位置に配設され、複数の発光素子が各々に配列された複数の表示部と、
前記複数の表示部の各々の前記周回運動に伴って前記運動方向に垂直な方向に幅を有して画定される表示可能領域に三次元画像が表示されるように、前記複数の表示部の各々の運動中の位置に応じて前記複数の発光素子に画像データを供給する制御部と、
視線方向において前記表示可能領域と重なって観察されるように前記表示可能領域に囲まれて配設される意匠部と、
を備えることを特徴とする三次元画像表示装置。
【請求項２】
駆動機構と、
前記駆動機構の駆動により所定の周回運動をするように前記駆動機構に接続され、前記周回運動の運動方向に垂直な方向において各々が異なる位置に配設され、複数の発光素子が各々に配列された複数の表示部と、
前記複数の表示部の各々の前記周回運動に伴って前記運動方向に垂直な方向に幅を有して画定される表示可能領域に三次元画像が表示されるように、前記複数の表示部の各々の運動中の位置に応じて前記複数の発光素子に画像データを供給する制御部と、
視線方向において前記表示可能領域と重なって観察されるように前記表示可能領域に囲まれて配設され、前記三次元画像の背景となる画像が描かれている意匠面が形成される意匠部と、
を備えることを特徴とする三次元画像表示装置。
【請求項３】
駆動機構と、
前記駆動機構の駆動により所定の回転軸周りに回転するように前記駆動機構に接続され、回転半径方向において各々が異なる位置に配設され、複数の発光素子が各々に配列された複数の表示部と、
前記複数の表示部の各々の前記回転に伴って前記回転半径方向に幅を有して画定される表示可能領域に三次元画像が表示されるように、前記複数の表示部の各々の回転中の位置に応じて前記複数の発光素子に画像データを供給する制御部と、
前記表示可能領域を包囲し、前記駆動機構の駆動が伝達されないように配設されたカバーと、
前記表示可能領域よりも前記回転半径方向に関して内側に配設されるように前記カバーに固定され、前記三次元画像の背景となる画像が描かれている意匠面が形成される意匠部と、
を備えることを特徴とする三次元画像表示装置。
【請求項４】
駆動機構と、
前記駆動機構の駆動により所定の回転軸周りに回転するように前記駆動機構に接続され、回転半径方向において各々が異なる位置に配設され、複数の発光素子が各々に配列された複数の表示部と、
前記複数の表示部の各々の前記回転に伴って前記回転半径方向に幅を有して画定される表示可能領域に三次元画像が表示されるように、前記複数の表示部の各々の回転中の位置に応じて前記複数の発光素子に画像データを供給する制御部と、
前記表示可能領域を包囲し、前記駆動機構の駆動が伝達されないように配設されたカバーと、
前記表示可能領域よりも前記回転半径方向に関して内側に配設されるように前記カバーに固定され、前記三次元画像の背景となる画像が描かれている意匠面が形成される意匠部と、
専ら前記意匠部の照明用として前記意匠部の表面に照明光を照射する照明光照射機と、
を備えることを特徴とする三次元画像表示装置。
【請求項５】
駆動機構と、
前記駆動機構の駆動により所定の周回運動をするように前記駆動機構に接続され、前記周回運動の運動方向に垂直な方向において各々が異なる位置に配設され、複数の発光素子が各々に配列された複数の表示部と、
前記複数の表示部の各々の前記周回運動に伴って前記運動方向に垂直な方向に幅を有して画定される表示可能領域に三次元画像が表示されるように、前記複数の表示部の各々の運動中の位置に応じて前記複数の発光素子に画像データを供給する制御部と、
視線方向において前記表示可能領域と重なって観察されるように前記表示可能領域よりも手前に配設される意匠部と、
を備えることを特徴とする三次元画像表示装置。
【請求項６】
駆動機構と、
前記駆動機構の駆動により所定の周回運動をするように前記駆動機構に接続され、前記周回運動の運動方向に垂直な方向において各々が異なる位置に配設され、複数の発光素子が各々に配列された複数の表示部と、
前記複数の表示部の各々の前記周回運動に伴って前記運動方向に垂直な方向に幅を有して画定される表示可能領域に三次元画像が表示されるように、前記複数の表示部の各々の運動中の位置に応じて前記複数の発光素子に画像データを供給する制御部と、
前記表示可能領域を包囲し、前記駆動機構の駆動が伝達されないように配設されたカバーと、
視線方向において前記表示可能領域と重なって観察されるように前記表示可能領域よりも手前側の前記カバーに設けられる意匠部と、
を備えることを特徴とする三次元画像表示装置。
【請求項７】
駆動機構と、
前記駆動機構の駆動により所定の周回運動をするように前記駆動機構に接続され、前記周回運動の運動方向に垂直な方向において各々が異なる位置に配設され、複数の発光素子が各々に配列された複数の表示部と、
前記複数の表示部の各々の前記周回運動に伴って前記運動方向に垂直な方向に幅を有して画定される表示可能領域に三次元画像が表示されるように、前記複数の表示部の各々の運動中の位置に応じて前記複数の発光素子に画像データを供給する制御部と、
視線方向において前記表示可能領域と重なって観察されるように配設され、前記表示部の前記周回運動の速さよりも遅い速さで運動可能に配設される意匠部と、
を備えることを特徴とする三次元画像表示装置。
【考案の詳細な説明】
【技術分野】
【０００１】
本考案は、三次元画像表示装置に関し、特に、表示部を周回運動させることにより三次元画像を表示させる三次元画像表示装置に関する。
【背景技術】
【０００２】
近年、立体画像を表示する多数の技術が提示されており、ホログラフィを用いるものや、人間の両目の視差を利用するものなど様々な技術が提案されている。このような立体画像表示技術は、広告等を表示するディスプレイ装置としての利用など、多様な用途に用いられうる。立体画像を表示する装置としては、本出願人が提案する、回転自在な支持部材に表示パネルを配置し、支持部材の回転に伴って表示パネル上の発光素子を予定の位置で三次元画像に対応させて点灯させることで、三次元画像を観察可能にしたものなどがある（例えば、特許文献１参照）。
【特許文献１】特開２００４−４０６６７号公報
【考案の開示】
【考案が解決しようとする課題】
【０００３】
本出願人の提案する三次元画像表示装置においては、予め表示されるべき三次元画像に対応した画像データを準備しておけば、所望の画像を表示することができる。しかし、実用化に際しては、表示されるべき画像の準備にかかる負担が軽減されることが望まれる。
【０００４】
そこで、本考案は、上述の事情を鑑みてなされたものであり、実用的な三次元画像表示装置を実現するための一つの観点として、表示されるべき画像の準備にかかる負担を軽減することができる三次元画像表示装置を提供することを目的とする。
【課題を解決するための手段】
【０００５】
上記課題を解決するために、本考案のある態様の三次元画像表示装置は、駆動機構と、駆動機構の駆動により運動させられて表示可能領域を画定する表示部と、表示可能領域と重なって観察されるように配設される意匠部と、を備える。
【０００６】
この態様によれば、表示部により表示可能領域に表示される画像と意匠部とが重ね合わされた三次元画像を観察することができる。表示されるべき画像の一部を予め意匠部に表現することによって、表示されるべき画像を準備するのにかかる負担が軽減される。
【０００７】
表示部は駆動機構の駆動に伴って表示可能領域に三次元画像を表示し、意匠部は表示可能領域に囲まれるように配設されて三次元画像の背景となるようにしてもよい。このようにすれば、背景を予め意匠部に制作することができるので、表示可能領域に三次元画像を表示する際にその都度背景を準備する必要がなく負担が軽減される。また、背景を表示することにより、現実の世界により近似した臨場感のある三次元画像を表示することができるようになる。
【０００８】
駆動機構を保持する保持部材をさらに備え、意匠部は、駆動機構の駆動が伝達されないように保持部材に連結されてもよい。このようにすれば、表示部は駆動機構の駆動により運動させられるのに対して、意匠部には駆動部の駆動は伝達されない。したがって、意匠部は運動しないので、意匠部の意匠を明瞭に観察することができる。このとき、意匠部は、例えば、駆動機構の駆動が伝達されないように保持部材に連結され表示可能領域を包囲するカバーに固定されてもよい。
【考案の効果】
【０００９】
本考案によれば、表示されるべき画像の準備にかかる負担を軽減することができる。
【考案を実施するための最良の形態】
【００１０】
以下、引き続き図面を参照して本考案の実施の形態（以下、実施形態という）について説明する。
【００１１】
本実施形態における三次元画像表示装置は、駆動機構と、複数の発光素子が各々に配列された複数の表示部と、これらの複数の発光素子に画像データを供給する制御部と、意匠部とを含んで構成される。複数の表示部の各々は、駆動機構の駆動により所定の周回運動をするように駆動機構に接続されるとともに、その周回運動の運動方向に垂直な方向において各々が異なる位置に配設されている。その運動方向に垂直な方向に幅を有する表示可能領域が複数の表示部の各々の周回運動に伴って画定され、制御部は表示可能領域に三次元画像が表示されるように各表示部の運動中の位置に応じて各発光素子に画像データを供給する。
【００１２】
意匠部は、視線方向において表示可能領域と重なって観察されるように表示可能領域に囲まれて配設されている。このため、表示されるべき画像の一部を予め意匠部に表現しておくことが可能となって表示されるべき三次元画像を準備するのにかかる負担が軽減される。また、意匠部に表現された意匠と表示部により表示される三次元画像とを併用することによって多様な画像表現を可能とすることができる。なお、ここで視線方向とは、表示可能領域と意匠部とが重なって観察されるように適宜選択された視点から三次元画像表示装置の中心部に向かう方向である。
【００１３】
図１および図２を参照して、本実施形態に係る三次元画像表示装置１００を詳細に説明する。図１は、本実施形態に係る三次元画像表示装置１００の回転軸を含む断面を示す概略断面図である。図２は、本実施形態における表示板１６の平面配置を示す平面図である。
【００１４】
三次元画像表示装置１００は、ベース２、テーブル３、テーブル３上に固定された複数の表示板１６、および表示板１６よりもテーブル３の中心部に近接して設けられた背景板２６を含んで構成される。ベース２の内部にはモータ８等を含む駆動機構が設けられている。ベース２は駆動機構を保持する保持部材である。円板状のテーブル３は、ベース２に対して回転自在に連結され、ベース２の内部に設けられた駆動機構によって、テーブル３の中心軸を回転軸として図２に示される回転方向Ｔに回転させられる。
【００１５】
図１に示されるように、ベース２は円板状の天板２１および底板２２と、天板２１および底板２２をそれらの外周部において固定して接続する円筒状の側板２３とを有する。テーブル３の中心部からは、テーブル３の中心部に上端を固定された回転伝達軸５が下方に延びている。回転伝達軸５は、天板２１を貫通してベース２の内部へ下方に延びる。回転伝達軸５の上部は、天板２１に固定された軸受６により天板２１に回転自在に支持される。回転伝達軸５の下部は、底板２２に固定された軸受６により底板２２に回転自在に支持される。
【００１６】
回転伝達軸５の中央部にはギヤ７が同軸に結合される。ギヤ７には、モータ用ピニオン９が回転運動を伝達することができるように噛み合わされている。底板２２にはモータ８が固定されている。モータ用ピニオン９は、モータ８の出力軸に同軸に固定されモータ８の駆動により回転させられる。また、ギヤ７には、エンコーダ用ピニオン１１が回転運動を伝達することができるように噛み合わされている。エンコーダ用ピニオン１１は、底板２２に固定されたロータリエンコーダ１０に回転運動を伝達することができるように同軸に固定されている。本実施形態においては、回転伝達軸５、ギヤ７、軸受６、モータ用ピニオン９、およびモータ８によりテーブル３を回転させる駆動機構が構成される。
【００１７】
このように構成されることにより、モータ８が駆動されるとモータ用ピニオン９が回転させられる。モータ用ピニオン９の回転は、ギヤ７を介して回転伝達軸５に伝達される。回転伝達軸５はベース２に回転自在に支持されるとともにテーブル３の中心部に固定されているので、テーブル３は、回転伝達軸５の回転により回転伝達軸５を回転軸として図２に示される回転方向Ｔに回転させられる。そして、テーブル３に固定されている各表示板１６は、テーブル３とともに回転させられる。また、テーブル３の回転角度は、ギヤ７およびエンコーダ用ピニオン１１を介してロータリエンコーダ１０により検出される。なお、テーブル３は、例えば６００ｒｐｍで回転させられる。
【００１８】
図２に示されるように、テーブル３の上には複数の表示板１６からなる第１表示板群５１および第２表示板群５２が配置される。第１表示板群５１に含まれる各表示板１６は、回転方向に垂直な放射方向において各々が異なる位置に配置されるようにテーブル３上に配設されている。第１表示板群５１においては、最も回転軸に近接した表示板（以下、これを「第１最内部表示板」という。他の表示板群においても同様とする。）６１から最も回転軸から離隔した表示板（以下、これを「第１最外部表示板」という。他の表示板群においても同様とする。）７１へと順に、角度が一定量増加するたびに回転軸からの距離も一定量増加して外周部に近づいていくように、各表示板１６は、らせん状に配列されてテーブル３上に固定されている。たとえば、角度は８度ずつ増加し、回転中心からの距離は７ｍｍずつ増加する。第２表示板群５２の各表示板１６も、第１表示板群５１と同様にテーブル３上に固定されている。
【００１９】
第１最内部表示板６１および第２最内部表示板６２は、ともにテーブル３の回転軸からの距離が等しく、１８０度の角度間隔で、回転軸に関して対称に設けられている。第１最外部表示板７１および第２最外部表示板７２も、同様に、回転軸に関して対称に設けられている。同様に、他の表示板１６のそれぞれにも、回転軸に関して対称に設けられた表示板１６が存在する。すなわち、第１表示板群５１と第２表示板群５２とは、回転軸に関して対称に配置されている。
【００２０】
テーブル３は各表示板１６の支持部材として各表示板１６と駆動機構とを接続している。各表示板１６は、テーブル３の回転軸と平行な方向にテーブル３の上面から上方に垂直に延びている。各表示板１６には、複数の発光ダイオードユニット４２がテーブル３の回転軸と平行な方向に一列に並べられている。各表示板１６は、三次元画像表示装置１００の仕様に応じて必要な個数の発光ダイオードユニット４２を並べることができるような長さと幅を有する。各表示板１６の発光ダイオードユニット４２が並べられた面は、テーブル３の半径方向外側を向いている。
【００２１】
なお、各表示板１６の外部に露出した表面は黒色とされている。これは、各発光ダイオードユニット４２から発せられる光と、各発光ダイオードユニット４２の周囲において外部に露出した各表示板１６の表面とのコントラストを高めて、表示される三次元画像を観察しやすくするためである。
【００２２】
複数の発光ダイオードユニット４２の各々は、赤色発光ダイオード、緑色発光ダイオード、および青色発光ダイオードを含み、赤色、緑色、および青色の三原色を適宜発光することにより任意の色の光を発光することが可能となるように構成されている。
【００２３】
モータ８の回転に伴い、テーブル３とともに各表示板１６が回転させられると、各表示板１６の高さ、第１最内部表示板６１および第２最内部表示板６２の回転半径、および第１最外部表示板７１および第２最外部表示板７２の回転半径により画定されるドーナツ状領域が、各発光ダイオードユニット４２の明滅により三次元画像を表示することができる発光表示可能領域３５となる。なお、図において、発光表示可能領域３５は、一点鎖線に囲まれる領域として示される。
【００２４】
さて、図１に示されるように、背景板２６は、ベース２の上に固定された側面カバー３８および天井カバー３７を介して、駆動機構の駆動が伝達されないようにベース２に固定されている。画像表示中に高速で回転する各表示板１６を観察者が誤って触れてしまうのを避けるために側面カバー３８および天井カバー３７は発光表示可能領域３５を包囲するようにベース２上に設けられている。
【００２５】
天井カバー３７は、ベース２の天板２１と同様の大きさの円板状に形成されている。側面カバー３８は、回転伝達軸５と同軸の円筒状に形成されている。側面カバー３８の内部の円柱状空間の半径は、テーブル３の回転を妨げないように、テーブル３の半径よりも若干長くなっている。側面カバー３８の下端は、ベース２の天板２１の上面の外周部に固定され、側面カバー３８の上端は、天井カバー３７の下面の外周部に固定されている。天井カバー３７および側面カバー３８は、表示される三次元画像を観察することができるように、ガラス、アクリル樹脂等の透明な材料で形成されている。
【００２６】
天井カバー３７の下面の中心部には、背景板２６が固定されている。背景板２６は、第１最内部表示板６１および第２最内部表示板６２よりもテーブル３の回転軸に近接して配設されている。背景板２６は、テーブル３の回転軸と同軸の円筒状に形成され、天井カバー３７の下面の中心部からテーブル３に向けて下方に延びている。背景板２６および各表示板１６のそれぞれの回転軸方向の長さはほぼ等しいが、背景板２６の下端とテーブル３とは接触していないし、各表示板１６の上端と天井カバー３７とは接触していない。
【００２７】
背景板２６の半径方向外側を向く面には意匠面２７が形成されており、発光表示可能領域３５に表示される三次元画像の背景となる画像が予め描かれている。意匠面２７を側面カバー３８の外側から観察すると、背景板２６は発光表示可能領域３５に囲まれているので、意匠面２７と発光表示可能領域３５とは重なって観察される。
【００２８】
天井カバー３７の下面の中心部には可視光を照射する照明光照射機４０が取り付けられている。照明光照射機４０は背景板２６よりも天井カバー３７の中心部に近接して設けられている。本実施形態では背景板２６は可視光の少なくとも一部を透過することができる材料で形成されている。よって、照明光照射機４０により背景板２６の内面に照射される可視光は背景板２６を透過して観察者に届く。したがって、周囲の明るさが暗いところにおいても、観察者は背景板２６の意匠面２７に描かれた画像を観察することができる。
【００２９】
テーブル３の上にはさらに、各発光ダイオードユニット４２に画像データを供給するためのマイクロコンピュータやその周辺要素を含む制御装置１７が設けられる。また、テーブル３の中心部には、制御装置１７に電源やロータリエンコーダ１０からの信号を供給するためのロータリコネクタ１８が設けられる。
【００３０】
ロータリコネクタ１８は、回転部４８と固定部４９とを含んで構成される。図示されない電源等から各表示板１６や制御装置１７等に接続される給電等のケーブルは、中空とされた回転伝達軸５の内部に設けられるケーブル導入部５０を通じてロータリコネクタ１８の固定部４９に接続される。ロータリコネクタ１８の固定部４９と回転部４８とは、電気的に接続された状態で所定の軸周りに互いに回転自在に接続されている。ロータリコネクタ１８の回転部４８と各表示板１６等とは図示されないケーブルで接続される。回転部４８が回転伝達軸５と同軸に配設されるように、固定部４９はケーブル導入部５０に固定される。
【００３１】
このため、テーブル３が回転しても、ケーブル導入部５０に固定された固定部４９は回転しない。一方、回転部４８は、テーブル３に固定された各表示板１６等とケーブルで接続されているので、テーブル３の回転に伴って回転する。回転部４８と固定部４９とは電気的に接続されているので、テーブル３の回転中であっても各表示板１６等に給電等を行うことができる。
【００３２】
このように構成されることにより、テーブル３がモータ８などからなる駆動機構により回転させられる間、制御装置１７は、ロータリエンコーダ１０により検出されたテーブル３の回転角度に基づいて、各表示板１６上の各発光ダイオードユニット４２を表示されるべき三次元画像に対応させて点灯または消灯させるように、それぞれの発光ダイオードユニット４２に画像データを供給する。その結果、テーブル３上の発光表示可能領域３５には、三次元画像表示装置１００の外部のどの方向からでも観察することができる三次元画像が表示される。このとき、観察者は、表示される三次元画像を背景板２６の意匠面２７に描かれた背景とともに観察することができる。
【００３３】
図３は、本実施形態に係る三次元画像表示装置１００に三次元画像を表示した状態を示す模式図である。なお、図３には簡単のため側面カバー３８および天井カバー３７は示されていない。
【００３４】
本実施形態においては、たとえば、背景板２６の意匠面２７には、背景となる山々や青空、太陽などが予め描かれている。そして、発光表示可能領域３５には自動車８０の三次元画像を表示することができる。そうすると、背景に相当する画像データを準備する必要はなく自動車８０を表示するための画像データだけを準備すればよいので、表示されるべき三次元画像を準備するのにかかる負担が軽減される。また、意匠面２７の素材、描かれる画像、および描くための画法等を適宜選択し、意匠面２７に表現される意匠を洗練させて三次元画像とともに観察されるようにすることにより、多様な画像表現を可能とすることも可能である。
【００３５】
本実施形態においては、テーブル３が高速に回転させられるために各表示板１６は視認されにくいので、各表示板１６により発光表示可能領域３５に表示される三次元画像は、発光表示可能領域３５の内部の空間に浮かんでいるように見える。よって、仮に背景板２６が設けられていなければ、視線方向において三次元画像表示装置１００を越えたところに存在し三次元画像とは何ら関係のない物が視界に入ってしまったり、表示される三次元画像と背後の景色と混ざり合って見にくくなってしまったりすることがある。
【００３６】
ところが、本実施形態においては、背景板２６が発光表示可能領域３５に重なって観察されるように配設されているので、無関係な物が視界に入ったり背後の景色と混ざり合ったりすることが抑制される。したがって、単に自動車８０のみを表示する場合と比較して、観察者はより高い視認性で臨場感をもって三次元画像を観察することができる。
【００３７】
なお、本実施形態に係る三次元画像表示装置１００は、背景が予め描かれているために、例えば玩具等として用いられる場合のように、描かれた背景に対応する限られた種類の三次元画像を表示すれば充分である場合に特に好ましい。
【００３８】
本考案は上述の実施形態に限定されるものではなく、当業者の知識に基づいて各種の設計変更等の変形を実施形態に対して加えることも可能であり、そのような変形が加えられた実施形態も本考案の範囲に含まれうる。以下、そうした例をあげる。
【００３９】
本実施形態においては、意匠面２７は、表示部としての各表示板１６の回転により画定される表示可能領域としての発光表示可能領域３５よりも回転軸に近接して設けられているが、これに限られない。意匠面を観察したときに表示可能領域と意匠面とが重なって観察されるように意匠部が設けられていればよい。
【００４０】
あるいは、意匠部を表示部よりも回転軸から離隔して設けてもよい。この場合、意匠部は、視線方向において表示可能領域よりも後方に設けられてもよいし手前に設けられてもよい。たとえば意匠部を表示可能領域の手前に設ける場合には、表示可能領域を包囲するカバー上に意匠面を形成し意匠面上に海面を予め描いておき、イルカを三次元画像として表示するなどのように、表示可能領域を包囲するカバー上に意匠部を設けてもよい。
【００４１】
あるいは、たとえば表示部を支持する支持部材の表面に意匠面を形成してもよい。
【００４２】
また、本実施形態においては、三次元画像の背景が意匠部に描かれているが、本考案はこれに限られず、三次元画像と意匠部とが一体となって一つの三次元画像を表示してもよい。たとえば、本実施形態とは逆に、画像の大半を意匠部に予め表現し、三次元画像を付加的に視覚効果を与えるために用いてもよい。
【００４３】
本実施形態においては、意匠部としてさまざまな形態を適宜選択することによって多様な画像表現を可能とすることができる。形状は円筒形に限られず、平板や多角柱、楕円柱などの形状であってもよい。表面は平滑であってもよいし凹凸を設けてもよい。また、表面は光を透過するものでもよいし透過しないものでもよい。素材も、樹脂、金属、ガラス、和紙などを適宜選択することができる。
【００４４】
また、意匠部の表面または内部には画像を描いてもよいし、画像を描かずに素材と形状を活かしてもよい。画像を描く場合には、通常の顔料で描いてもよいし、蛍光塗料などにより特定の条件のもとで可視化されるように描いてもよい。あるいは特定の温度領域において画像が可視化されるようにして、意匠部の温度を変化させる温度変化機構を備えて、温度変化機構により意匠部の温度を変化させることによって画像を表示してもよい。さらに、意匠部は立体的であってもよい。たとえば、天井カバー３７から発光表示可能領域３５に向けて動物やキャラクターを立体的に模したものを意匠部としてつり下げてもよい。
【００４５】
あるいは、意匠部は固定されたものには限られず、可動であってもよい。たとえば、表示部を駆動する駆動機構と意匠部とを接続する伝達機構を設け、意匠部を往復動させたり、上下運動させたり、表示部とは異なる回転数で回転させたりしてもよい。この場合、意匠部は、表示部の周回運動の速さよりも遅い速さで運動し、視線方向において表示可能領域と重なって観察されるように配設されることが好ましい。なお、表示部を運動させる駆動機構とは異なる他の駆動機構により意匠部を運動させてもよい。
【００４６】
本実施形態においては、照明光照射機４０は背景板２６よりも回転半径方向に関して内側に設けられ、背景板２６の内面に照明光を照射して背景板２６を透過させることによって、描かれた背景の視認性を高めるようにしているが、照明光照射機４０はこれに限られず、意匠部の照明用として、意匠部に表現された意匠の視認性を高めるべく意匠部の表面に照明光を照射することができるものであればよい。たとえば、照明光照射機４０を意匠部よりも回転半径方向に関して外側に設け、意匠部に外側から照明光を照射するものであってもよい。この場合、照明光照射機４０は、たとえば天井カバー３７に取り付けられて上方から照明光を意匠部に照射するものであってもよいし、あるいはテーブル３に取り付けられて下方から照射するものであってもよい。
【００４７】
本実施形態においては、各表示板１６は、駆動機構により回転させられて発光表示可能領域３５を画定するようになっているが、本考案はこれに限られず、駆動機構の駆動により運動させられて表示可能領域を画定するものであればよい。表示部は、例えばレーストラック状等の周回運動をさせられることにより表示可能領域を画定するものであってもよいし、あるいは、往復動することにより表示可能領域を画定するものであってもよい。
【００４８】
また、本実施形態においては、発光素子として発光ダイオード（ＬＥＤ）を用いたが、これに限られず、たとえば、有機ＥＬや液晶を用いた表示器など、画像を表示するための画素として光を発することができるものであればよい。また、本実施形態では、三原色の発光により所望の色の光を発することができるようにされているが、これに限られず、たとえば、単色の発光であってもよい。
【００４９】
なお、画像の表示に伴って効果音を発生させるように制御部に接続された効果音発生装置をさらに設けてもよい。
【図面の簡単な説明】
【００５０】
【図１】本実施形態に係る三次元画像表示装置の回転軸を含む断面を示す概略断面図である。
【図２】本実施形態における表示板の平面配置を示す平面図である。
【図３】本実施形態に係る三次元画像表示装置に三次元画像を表示した状態を示す模式図である。
【符号の説明】
【００５１】
２  ベース、  ３  テーブル、  ８  モータ、  １６  表示板、  １７  制御装置、  ４２  発光ダイオードユニット、  ５１  第１表示板群、  ５２  第２表示板群、  １００  三次元画像表示装置。
【図１】
0003113661.tif 000003
【図２】
0003113661.tif 000004
【図３】
0003113661.tif 000005